(57)【要約】【課題】空気調和機本体の前面側と上面側に空気吸い込み部を形成し下面側に空気吹き出し口を形成した空気調和機において、前面側空気吸い込み部は前面板で開閉して前面すっきりデザインと色彩重視の空気調和機に適するものとし、上面側空気吸い込み部は熱交換器での熱交換が好ましい吸い込みとなる状態とすると共に塵埃の侵入を防止できるものとする。また、前面側と上面側に空気吸い込み部を開閉作動する駆動機構の簡素化とコンパクト設計に適し、狭い領域への駆動機構の組み込むに適するものとする。【解決手段】前面側空気吸い込み部を前面板で開閉し、上面側空気吸い込み部を鎧戸式開閉板で開閉し、両方の開閉動作を単一の電動機と歯車で構成した電動機構で行い、前面パネルは電動機構の第１駆動部材の往復回動にて開閉し、鎧戸式開閉板は電動機構の第２駆動部材の往復動にて開閉する。【選択図】図２
2007170788.tif 000002
【特許請求の範囲】
【請求項１】
内部に熱交換器と送風機が配置された空気調和機本体の前面側と上面側に前記熱交換器への空気吸い込み部を形成し下面側に空気吹き出し口を形成した空気調和機において、前記前面側の空気吸い込み部を開閉する前面板と、前記上面側の空気吸い込み部を開閉する鎧戸式開閉板と、前記前面板と前記鎧戸式開閉板の両方の開閉動作を行うように正回転と逆回転する単一の電動機とこの電動機で回転する歯車で構成した電動機構を備え、前記前面パネルは前記電動機構の第１駆動部材の往復回動に伴って前記前面側の空気吸い込み部を開閉作動し、前記鎧戸式開閉板は前記電動機構の第２駆動部材の往復回動に伴って前記上面側の空気吸い込み部を開閉作動し、前記前面パネルの開閉作動と前記鎧戸式開閉板の開閉作動が同時に行われる構成であることを特徴とする空気調和機。
【請求項２】
内部に熱交換器と送風機が配置された空気調和機本体の前面側と上面側に前記熱交換器への空気吸い込み部を形成し下面側に空気吹き出し口を形成した空気調和機において、前記前面側の空気吸い込み部を開閉する前面板と、前記上面側の空気吸い込み部を開閉する鎧戸式開閉板と、前記前面板と前記鎧戸式開閉板の両方の開閉動作を行うように正回転と逆回転する単一の電動機とこの電動機で回転する歯車で構成した電動機構を備え、前記前面パネルは前記電動機構の第１駆動部材の往復回動に伴って前記前面側の空気吸い込み部を開閉作動し、前記鎧戸式開閉板は前記電動機構の第２駆動部材の往復回動に伴って前記上面側の空気吸い込み部を開閉作動し、前記電動機構を前記前面板と前記鎧戸式開閉板の両方に近い領域に配置したことを特徴とする空気調和機。
【請求項３】
前記空気調和機本体と前面パネルとは前記空気調和機本体の前面側と前記前面パネルの裏面側にそれぞれ軸支持された上下一対の左右の作動腕によって連結され、この左右の作動腕の一方の上側の作動腕の後面に形成した従動側カム面に前記第１駆動部材の前面に形成した駆動側カム面が当接し、前記第１駆動部材の往復回動が前記駆動側カム面と前記従動側カム面との当接を介して作動する前記作動腕によって前記前面パネルが前記前面側の空気吸い込み部を開閉作動することを特徴とする請求項１または２に記載の空気調和機。
【発明の詳細な説明】
【技術分野】
【０００１】
本発明は、空気調和機内に配置した熱交換器へ流入する空気の吸い込み口を可変する開閉機構を備えた空気調和機に関する。
【背景技術】
【０００２】
空気調和機内にフィルタと、熱交換器と、送風機が配置され、フィルタの交換作業をし易くするために、前面板を電動機で開くようにしたものとして、空気調和機の前面板としての吸い込みグリルを上下に二分割し、この上下の吸い込みグリルにそれぞれ歯車を設けて、一方の歯車に噛み合う中間歯車をモータで駆動し、この一方の歯車を回転させると共に、この中間歯車に噛み合うラック（直線歯車）を作動させて他方の歯車を回転することによって、上下両方の吸い込みグリルを開閉する機構のものがある。（例えば、特許文献１参照）。
【特許文献１】特開２００３−１５６２２５号公報
【発明の開示】
【発明が解決しようとする課題】
【０００３】
特許文献１のものでは、前面板を電動機で開閉することにより、フィルタの交換作業をし易くする効果があるが、本発明は、空気調和機の薄型化と空気調和機の不使用時の塵埃の侵入を防ぐために、空気調和機の不使用時には空気の吸い込み口を閉じ、空気調和機の稼動時には空気の吸い込み口を開いて、空気の吸い込みを十分に行うことができる空気調和機を提供するものである。
【課題を解決するための手段】
【０００４】
第１の発明の空気調和機は、内部に熱交換器と送風機が配置された空気調和機本体の前面側と上面側に前記熱交換器への空気吸い込み部を形成し下面側に空気吹き出し口を形成した空気調和機において、前記前面側の空気吸い込み部を開閉する前面板と、前記上面側の空気吸い込み部を開閉する鎧戸式開閉板と、前記前面板と前記鎧戸式開閉板の両方の開閉動作を行うように正回転と逆回転する単一の電動機とこの電動機で回転する歯車で構成した電動機構を備え、前記前面パネルは前記電動機構の第１駆動部材の往復回動に伴って前記前面側の空気吸い込み部を開閉作動し、前記鎧戸式開閉板は前記電動機構の第２駆動部材の往復回動に伴って前記上面側の空気吸い込み部を開閉作動し、前記前面パネルの開閉作動と前記鎧戸式開閉板の開閉作動が同時に行われる構成であることを特徴とする。
【０００５】
第２の発明の空気調和機は、内部に熱交換器と送風機が配置された空気調和機本体の前面側と上面側に前記熱交換器への空気吸い込み部を形成し下面側に空気吹き出し口を形成した空気調和機において、前記前面側の空気吸い込み部を開閉する前面板と、前記上面側の空気吸い込み部を開閉する鎧戸式開閉板と、前記前面板と前記鎧戸式開閉板の両方の開閉動作を行うように正回転と逆回転する単一の電動機とこの電動機で回転する歯車で構成した電動機構を備え、前記前面パネルは前記電動機構の第１駆動部材の往復回動に伴って前記前面側の空気吸い込み部を開閉作動し、前記鎧戸式開閉板は前記電動機構の第２駆動部材の往復回動に伴って前記上面側の空気吸い込み部を開閉作動し、電動機構を前記前面板と前記鎧戸式開閉板の両方に近い領域に配置したことを特徴とする。
【０００６】
第３の発明の空気調和機は、第１発明または第２発明において、前記空気調和機本体と前面パネルとは前記空気調和機本体の前面側と前記前面パネルの裏面側にそれぞれ軸支持された上下一対の左右の作動腕によって連結され、この左右の作動腕の一方の上側の作動腕の後面に形成した従動側カム面に前記第１駆動部材の前面に形成した駆動側カム面が当接し、前記第１駆動部材の往復回動が前記駆動側カム面と前記従動側カム面との当接を介して作動する前記作動腕によって前記前面パネルが前記前面側の空気吸い込み部を開閉作動することを特徴とする。
【発明の効果】
【０００７】
第１の発明では、空気調和機本体の前面側と上面側に前記熱交換器への空気吸い込み部を形成し下面側に空気吹き出し口を形成した空気調和機において、前面側の空気吸い込み部は前面板で開閉する構成とすることによって、空気調和機の前面をすっきりしたデザインにして色彩を重視した空気調和機とするために、空気調和機を設置する部屋にマッチした色が選べるように、色違いの前面板を採用する色彩豊かな空気調和機を提供する場合に適するものとなる。また、上面側の空気吸い込み部は鎧戸式開閉板で開閉する構成とすることによって、上面側から吸い込む空気が鎧戸によって分流して、熱交換器の空気吸い込み側の所定方向へ向かうようになるため、熱交換器での熱交換が好ましい状態となる。そして、空気調和機の運転停止の際には、鎧戸式開閉板が閉じることによって、上面側の空気吸い込み部からの塵埃の侵入を防止できるため、これまでにあった上面側の空気吸い込み部へ付着する塵埃の拭き取り作業の面倒さは、解消できるものとなる。また、前面パネルの開閉作動と鎧戸式開閉板の開閉作動が単一の電動機とこの電動機で回転する歯車で構成した電動機構によって同時に行われるように、電動機構の第１駆動部材の往復回動に伴って前面パネルが開閉作動し、電動機構の第２駆動部材の往復回動に伴って鎧戸式開閉板が開閉作動するため、駆動機構が簡素化でき、空気調和機本体の狭い領域へ駆動機構を組み込む設計がし易くなる。
【０００８】
第２の発明は、第１の発明の効果に加えて、前記電動機構を前面板と鎧戸式開閉板の両方に近い領域に配置したことにより、前面板と鎧戸式開閉板を開閉作動する駆動機構が簡素化でき、コンパクト設計に適し、空気調和機本体の狭い領域へ駆動機構を組み込む設計がし易くなる。
【０００９】
第３の発明では、第１発明または第２発明の効果に加えて、左右一方の作動腕の上側の作動腕の後面に形成した従動側カム面に、第１駆動部材の駆動側カム面が当接することによって駆動力が伝達される構成であるため、一方の作動腕を有効活用した構成となり、部品数が少なくしかも駆動力を的確に前面パネルへ伝達できる状態となり、構成が簡素化されたものとなる。また、前面側の空気吸い込み下面側に形成した空気吹き出し口から吹き出す熱交換後の空気が、直ちに前面側の空気吸い込み部へ吸い込まれないようにするために、前面パネルの上部を広く開いて前面パネルの上部から多くの空気を吸い込むようにする構成が、左右一方の作動腕の上側の作動腕の後面に形成した従動側カム面に第１駆動部材の駆動側カム面が当接する構成によって達成できることとなる。
【発明を実施するための最良の形態】
【００１０】
本発明の空気調和機は、内部に熱交換器と送風機が配置された空気調和機本体の前面側と上面側に前記熱交換器への空気吸い込み部を形成した空気調和機において、前記前面側の空気吸い込み部を開閉する前面板と、前記上面側の空気吸い込み部を開閉する鎧戸式開閉板と、前記前面板と前記鎧戸式開閉板の両方の開閉動作を行うように正回転と逆回転する単一の電動機とこの電動機で回転する歯車で構成した電動機構を備え、前記前面パネルは前記電動機構の第１駆動部材の往復回動に伴って前記前面側の空気吸い込み部を開閉作動し、前記鎧戸式開閉板は前記電動機構の第２駆動部材の往復回動に伴って前記上面側の空気吸い込み部を開閉作動し、前記前面パネルの開閉作動と前記鎧戸式開閉板の開閉作動が同時に行われるものであり、以下に本発明の実施形態を記載する。
【実施例１】
【００１１】
次に、本発明の実施の形態について説明する。図１は本発明に係る空気調和機上面斜視図、図２は本発明に係る前面パネルを開いた状態の空気調和機の上面斜視図、図３は本発明に係る空気調和機の縦断側面図、図４は本発明に係る前面パネルとベース部材の関係を示す上面斜視図、図５は本発明に係る前面パネルが閉じた状態を説明する縦断側面図、図６は本発明に係る前面パネルが開いた状態を説明する縦断側面図、図７は本発明に係る空気調和機本体前面部の部分斜視図、図８は本発明に係る前面パネルとベース部材との左側結合部を裏側から示す斜視図、図９は本発明に係る前面パネルとベース部材との右側結合部を裏側から示す斜視図、図１０は本発明に係る前面パネルと作動腕との着脱可能結合構造を示す斜視図とその分解図、図１１は本発明に係る鎧戸式開閉板が開いた状態を示す前面パネルを除いた状態の空気調和機本体の斜視図、図１２は本発明に係る鎧戸式開閉板が開いた状態を示す空気調和機本体の上部側面図、図１３は本発明に係る鎧戸式開閉板が閉じた状態を示す空気調和機本体の上部側面図、図１４は本発明に係る鎧戸式開閉板が開いた状態を示す空気調和機本体の上部拡大側面図、図１５は本発明に係る鎧戸式開閉板が開いた状態での鎧戸式開閉板の端部の構成を示す斜視図、図１６は本発明に係る鎧戸式開閉板が閉じた状態での鎧戸式開閉板の端部の駆動部の構成を示す斜視図である。
【００１２】
図において、本発明に係る空気調和機１は、室内の壁に掛けられるタイプの壁掛け式室内用空気調和機であり、冷媒の圧縮機と凝縮器とこれらの熱交換用送風機等を収納した室外機とで一組の分離型空気調和装置を構成するものである。空気調和機１は、内部に熱交換器３と送風機４等が配置され、上面に空気吸い込み部５を形成している。
【００１３】
これを具体的に説明すると、空気調和機１は、空気調和機本体２と前面パネル７とで構成された横長形状をなし、空気調和機本体２は、空気調和機１の背面側に位置する基体部２Ａと、その基板部２Ａの前面側に組み合わされたカバー部２Ｂとで構成され、カバー部２Ｂは前後に開口して空気調和機１の外形形状をした枠状をなし、このカバー部２Ｂの前面開口を覆うように、カバー部２Ｂの一部分を構成するベース部材２０が、カバー部２Ｂに着脱可能に取り付けられている。この構成によって、空気調和機本体２の前面側にベース部材２０が取り外し可能に設けられた形態となる。そして前面パネル７は、後述のようにベース部材２０に取り外し可能に取り付けられた構成である。基体部２Ａの前面側には、熱交換器３と送風機４と電装箱等が取り付けられ、カバー部２Ｂがこれらの周囲を覆い、前面をベース部材２０が覆う状態である。空気調和機１を室内の壁に取り付ける場合は、室内の壁に固定した固定板に対して基体部２Ａの背面が取り付けられる。
【００１４】
上記のように、熱交換器３と送風機４は空気調和機本体２内に配置されており、熱交換器３は略逆Ｖ字状に配置した前面側熱交換部３Ａと後面側熱交換部３Ｂとで構成され、前面側熱交換部３Ａは下部が後方へ屈曲した部分３Ａ１を形成した形状をなす。熱交換器３は、並列配置の多数のアルミニウム薄板Ｐを冷媒パイプＱが貫通配置されたプレートフィン型熱交換器の構成である。送風機４は、左右方向に延びた多数の羽根４Ａが円周に配置され横軸４Ｂを電動機で回転する横流式ファンであり、熱交換器３の内側に配置されて、略熱交換器３の左右全幅に渡る長さを有する。
【００１５】
送風機４の運転によって空気吸い込み部５から空気調和機１内へ吸い込まれる空気は、空気調和機本体２の上面と前面から熱交換器３へ向けて流入するように、横長の空気調和機本体２の上面側と前面側にそれぞれ左右方向に長く空気吸い込み部（または空気吸い込み口と称す）５を形成している。このため、空気調和機本体２の上面側には、左右方向に長く上面側空気吸い込み部（または空気吸い込み口と称す）５Ａを形成し、空気調和機本体２の前面側には、左右方向に長く前面側空気吸い込み部（または空気吸い込み口と称す）５Ｂを形成している。この上面側空気吸い込み口５Ａは、基板部２Ａとカバー部２Ｂとに格子状に形成されている。また、前面側空気吸い込み口５Ｂは、ベース部材２０に格子状に形成されている。これらの空気の吸い込み口５Ａ、５Ｂの裏側には網状のフィルタ６が配置されている。
【００１６】
フィルタ６は、フィルタ網をその周囲に形成される合成樹脂製枠を射出成形すると同時に一体化したものであり、左右各１枚を一組とし、前面パネル７を開いた状態で、空気調和機本体２の左右両側部とその中間部に形成したフィルタ支持レール部９に対して、カバー部２Ｂの前面開口側から上方へ向かうスライド式挿入によって、左右のフィルタ６が着脱自在である。左右一組のフィルタ６は、それぞれ左右両縁部を背面側に設けたフィルタ支持レール部９で支持された状態でもって、空気の吸い込み口５Ａ、５Ｂの裏側に近接又は当接配置されて、熱交換器３の前面側と上面側の全域を覆う状態となる。なお、フィルタ６をフィルタ支持レール部９にスライドし易くするためと、フィルタ６の中間部が熱交換器３側へ落ち込まないようにするために、フィルタ６の裏側の支持部として左右のフィルタ支持レール部９、９間に渡る横桟９Ａと、この横桟９Ａ相互に上下に渡る縦桟９Ｂでもって格子状の桟を形成することができる。
【００１７】
空気調和機１は、図示の形態の熱交換器３での熱交換を向上させるために、前面パネル７は、図３に示すように、空気吸い込み部５の前部分を拡げるように上部が下部よりも広く前方へ点線の状態に開く動作をする。これによって、空気吸い込み部５が前方へ拡大されるため、空気吸い込み面積が拡大することとなり、それよって、前面側の空気の吸い込み口５Ｂから吸い込まれる空気の量を増加できる状態となる。１０は空気清浄フィルタであり、フィルタ６よりも更に精度の高い空気浄化作用を行う化学繊維製のフィルタ構成である。
【００１８】
送風機４の運転によって熱交換器３Ａ、３Ｂと熱交換した空気は、空気調和機１の下面側に形成した横長矩形状の空気吹き出し口１１から前方へ吹き出す。空気吹き出し口１１には、軸１２Ａで上下動するように軸支持された上下動風向板１２と、吹き出す空気流を左右の複数流に分割する左右動風向板１３を備えている。熱交換器３Ａ、３Ｂから流下する露は、その下方の露受け皿１４、１５で受けられ、室外に排出される。
【００１９】
以下、前面パネル７が空気吸い込み部５Ｂを拡げるように前方へ開く動作をする構成について説明することとする。前面パネル７は、上下一対の左右の作動腕２１Ａ、２１Ｂによってベース部材２０に連結支持された構成である。左右の作動腕２１Ａ、２１Ｂの一端部は、それぞれ前面パネル７の裏面側に回動可能に軸支持２２Ａ、２２Ｂされ、また左右の作動腕２１Ａ、２１Ｂの他端部は、それぞれベース部材２０の長孔２４Ａ、２４Ｂを貫通してベース部材２０の裏面側に回動可能に軸支持２３Ａ、２３Ｂされている。上部の作動腕２１Ａ、２１Ｂとベース部材２０との軸結合は、ベース部材２０の上部裏側に横方向に取り付けた軸棒２５に作動腕２１Ａ、２１Ｂの端部を取り付けて軸支持２３Ａ、２３Ｂを構成している。
【００２０】
このような構成によって、前面パネル７は、作動腕２１Ａ、２１Ｂによってベース部材２０に支持されると共に、作動腕２１Ａ、２１Ｂの回動に伴ってベース部材２０に対して前後方向へ移動可能である。図示した実施例では、前面パネル７が左右に長いため、ベース部材２０に対する前面パネル７の前後方向移動を安定させるために、前面パネル７の中央部を作動腕２１Ｃによってベース部材２０に連結支持した構成としている。作動腕２１Ｃは、その一端部が前面パネル７の裏面側に回動可能に軸支持２２Ｃされ、作動腕２１Ｃの他端部はベース部材２０を貫通して軸棒５０に回動可能に軸支持２３Ｃされている。このように、支持作動腕２１Ｃによる支持は補助的なものであるため、空気調和機１の形態によっては省略することもできる。
【００２１】
ベース部材２０を空気調和機本体２の前面側に取り外し可能に支持するために、ベース部材２０の左右の上部に形成した引っ掛け部２５Ａ、２５Ｂが、空気調和機本体２のカバー部２Ｂの前面側に孔または窪みによって形成した係止部２６Ａ、２６Ｂに着脱自在に係止している。また、ベース部材２０の下部は、カバー部２Ｂにネジ止め、弾性爪による係止部又はその他の着脱式止め部によって取り付けられれば、ベース部材２０は空気調和機本体２の前面側に安定して取り付けられ、且つ取り外し可能に支持された状態となる。
【００２２】
このようにベース部材２０を空気調和機本体２の前面側に取り外し可能に支持することにより、空気調和機本体２の前面側へのベース部材２０の取り付けによって、ベース部材２０に作動腕２１Ａ、２１Ｂ、２１Ｃによって支持された前面パネル７が同時に空気調和機本体２の前面側に取り付けられることとなる。また、ベース部材２０を空気調和機本体２の前面側から取り外すことにより、前面パネル７も同時に空気調和機本体２の前面側から取り外されることとなる。
【００２３】
前面パネル７は、駆動機構２７によって閉じた第１の状態と、開いた第２の状態とに往復動可能に空気調和機本体２に支持されている。駆動機構２７は、第１駆動部材３３を備えた電動機構３４と、第１駆動部材３３によって作動する従動側カム部材３５とから構成される。電動機構３４は、電動機２８と電動機２８で回転する歯車で構成している。この歯車は、電動機２８で回転する小歯車２９とこれに噛み合う大歯車３０と、大歯車３０と同軸の小歯車３１と、小歯車３１に噛み合う歯３２を形成した駆動側カム部材３３とで構成されており、空気調和機本体２に設けた後述の駆動ボックス７０内に設けられている。駆動側カム部材３３は、空気調和機本体２のカバー部２Ｂに形成した窪み部３７内において駆動ボックス７０に回動可能に軸支持部３６で支持されている。従動側カム部材３５は、空気調和機本体２の前面側に回動可能に軸支持されており、具体的には、従動側カム部材３５は、一方の作動腕２１Ｂと一体に形成され、作動腕２１Ｂの後面に従動側カム面３５Ａが形成された形態である。
【００２４】
第１駆動部材３３は前面に山状にカム面３３Ａを形成しており、駆動側カム部材３３と称することとする。従動側カム部材３５の後面には谷状にカム面３５Ａが形成され、両カム面３３Ａ、３５Ａの当接によって、駆動側カム部材３３の往復回動によって従動側カム部材３５が往復回動する。電動機２８は、動作制御が正確に行えるようにするために、制御回路部（図示せず）からの信号によってステッピング動作するステッピングモータで構成している。このため、駆動側カム部材３３の往復回動は、電動機２８の正回転と逆回転によって行われる。
【００２５】
前面パネル７とベース部材２０が作動腕２１Ａ、２１Ｂ、２１Ｃによって連結された状態で、ベース部材２０が空気調和機本体２の前面に取り付けられた状態で、空気調和機１が非稼動状態では、図５のように、前面パネル７はベース部材２０側に移動して閉じた状態（第１の状態）である。このような状態において、空気調和機１の運転スイッチのＯＮによって、電動機２８が正回転して駆動側カム部材３３が図５の状態から時計方向へ回動し、それに伴って従動側カム部材３５が時計方向へ回動する。この動作によって、図６のように、前面パネル７がベース部材２０から離れるように移動して開いた状態（第２の状態）となる。この開いた第２の状態に達した時、電動機２８の正回転が停止するように制御部（図示せず）によって制御される。
【００２６】
このような状態において、空気調和機１の停止スイッチのＯＮによって、電動機２８が逆回転して駆動側カム部材３３が図６の状態から反時計方向へ回動し、それに伴って従動側カム部材３５が反時計方向へ回動する。この動作によって、図５のように、前面パネル７がベース部材２０に当接又は近接する閉じた状態（第１の状態）へ復帰する。この閉じた第１の状態に達した時、電動機２８の逆回転が停止するように制御部（図示せず）によって制御される。
【００２７】
このように、空気調和機１の稼動停止状態では、前面パネル７が閉じた第１の状態となるため、空気吸い込み部５Ｂが狭まった状態を保ち、空気調和機１の厚さが薄くなった外観を呈するため、うっとうしさが軽減されると共に、塵埃の侵入を少なくする状況である。また、前面パネル７が開いた第２の状態では、空気吸い込み部５Ｂが拡がった状態となり、前面の空気吸い込み口５Ｂからの所定の空気吸い込み量を確保できるため、熱交換器３の前面側熱交換部３Ａでの熱交換を促進でき、良好な空気調和効果を達成できる。
【００２８】
なお、上記の空気調和機１の運転スイッチ及び停止スイッチのＯＮとは、空気調和機１が、冷房動作、暖房動作、除湿動作、換気動作、室内空気循環動作のいずれを行うものであっても、これらの動作を選択するために、手動操作、又はタイマ制御されるスイッチの動作を意味する。
【００２９】
前面パネル７と作動腕２１Ａ、２１Ｂ、２１Ｃとの結合部である軸支持２２Ａ、２２Ｂ、２２Ｃは、着脱可能な構成である。即ち、図１０に示すように、前面パネル７の裏側に形成した軸受け部４０を挟むように作動腕２１Ａ、２１Ｂ、２１Ｃの端部が組み合わされ、この作動腕２１Ａ、２１Ｂ、２１Ｃの端部と軸受け部４０とを貫通する軸４１を形成した軸部材４２が、前面パネル７の裏側に形成した支持部４３、４３に軸方向にスライド可能に支持されている。このため、支持部４３、４３の弾力性によって軸部材４２の溝４４に支持部４３、４３の突起４５が嵌合した状態で、軸４１が作動腕２１Ａ、２１Ｂ、２１Ｃの端部と軸受け部４０とを貫通した位置に軸部材４２を保持する。そして、前面パネル７を取り外す場合は、この嵌合した状態から図１０において軸部材４２を右方へ強く引くことにより、支持部４３、４３の弾力性によって突起４５が溝４４から外れて、前面パネル７と作動腕２１Ａ、２１Ｂ、２１Ｃとの結合部が外れるため、作動腕２１Ａ、２１Ｂ、２１Ｃを残して前面パネル７をベース部材２０から取り外すことができる。軸部材４２のもう一つの溝４６に突起４５を嵌合せしめれば、この状態で軸部材４２を安定に保つことができる。
【００３０】
上記のように、前面パネル７の裏側には空気調和機本体２の前面側に取り外し可能にベース部材２０が設けられ、前面パネル７は、前面パネル７とベース部材２０とにそれぞれ軸支持された左右の作動腕２１Ａ、２１Ｂによってベース部材２０に連結支持され、この作動腕の少なくとも一方の作動腕２１Ｂの後面に従動側カム面３５Ａが形成され、この従動側カム面３５Ａに当接する駆動側カム面３３Ａを前面に形成し電動機構３４によって往復回動する駆動側カム部材３３が空気調和機本体２に設けられ、前面パネル７は電動機構３４によって閉じた第１の状態と所定の空気吸い込み量を確保するように開いた第２の状態とに往復動可能であり、前面パネル７は前面パネル７と左右の作動腕２１Ａ、２１Ｂとの軸結合部２２Ａ、２２Ｂが着脱自在結合によってベース部材２０から取り外し可能であり、更に、前面パネル７とベース部材２０とは左右の作動腕２１Ａ、２１Ｂによる連結状態でもって空気調和機本体２から取り外し可能である。
【００３１】
これによって、一方の作動腕の後面に形成した従動側カム面に駆動側カム面が当接することによって駆動力が伝達される構成であるため、一方の作動腕を有効活用した構成となり、部品数が少なくしかも駆動力を的確に前面パネルへ伝達できる状態となり、構成が簡素化されたものとなる。そして、前面パネルは、作動腕との軸支持部が着脱可能であるため、前面パネルのみを取り外すことができ、また、ベース部材と前面パネルはセットで取り外しが可能である。このため、製造時の組み立てがし易くなり、且つ、内部の修理や点検時にはその状況に応じて、前面パネルのみを取り外すか、又はベース部材と前面パネルをセットとして取り外すかを選択できることとなり、便利である。
【００３２】
空気調和機本体２の上面側空気吸い込み部（または空気吸い込み口と称す）５Ａを開閉する鎧戸式開閉板６０について説明する。鎧戸式開閉板６０は、電動機構３４の第２駆動部材３３０の往復回動に伴って上面側の空気吸い込み部５Ａを開閉作動し、前面パネル７の開閉作動と鎧戸式開閉板６０の開閉作動が同時に行われるものである。電動機構３４は、上記のように電動機２８とこの電動機２８で回転する歯車で構成しており、鎧戸式開閉板６０の開閉に係る電動機構３４は、電動機２８と、電動機２８で回転する歯車で構成している。この歯車は、電動機２８で回転する小歯車２９と、これに噛み合う大歯車３０と、大歯車３０と同軸の小歯車３１０と、小歯車３１０に噛み合う中歯車３１１と、中歯車３１１と同軸の小歯車３１２と、小歯車３１２に噛み合う歯３２０を形成した第２駆動部材３３０とで構成されている。この第２駆動部材３３０は、空気調和機本体２に設けた駆動ボックス７０に軸支持部３６０で回動可能に軸支持されている。
【００３３】
鎧戸式開閉板６０は、複数枚の鎧戸６１と、これら鎧戸６１の左右両端側に前後方向に長く配置した作動体６５を備え、各鎧戸６１の左右両端部に形成した脚部６１Ａには長孔６４が形成され、左右の作動体６５には、この長孔６４に緩く嵌り合うように横方向へ突出した軸６３が設けられている。左右の作動体６５は、外側に長孔形状の作動リング体３３０Ａを備えており、第２駆動部材３３０の上端部から横に延びた作動腕３３０Ｂが、この作動リング体３３０Ａの長孔に嵌り込んでおり、この長孔の中でこの長孔に沿って作動腕３３０Ｂが可動する。各鎧戸６１の後端部に設けた横方向軸６２が、左右の支持部材６６に回動可能に支持されており、後述のように、鎧戸６１が開閉するとき、横方向軸６２を回動の中心としている。
【００３４】
この構成において、第２駆動部材３３０の回動（図１２と図１３において時計方向と反時計方向の回動）によって、作動体６５は前後方向にスライドする。図１３に示すように、第２駆動部材３３０が反時計方向に回動した状態では、作動体６５は後方向に移動して横方向軸６２を回動の中心として鎧戸６１が回動して倒れた状態となって、上面側の空気吸い込み部５Ａを閉じる。また、図１２に示すように、第２駆動部材３３０が時計方向に回動した状態で、作動体６５は前方向に移動して係止部６２を回動の中心として鎧戸６１が回動して立ち上がり、上面側の空気吸い込み部５Ａを開く。
【００３５】
上記のように、前面パネル７と鎧戸式開閉板６０は、正回転と逆回転する単一の電動機２８と、この電動機で回転する歯車で構成した電動機構３４によって同時に開閉作動するものであり、前面パネル７は電動機構３４の第１駆動部材３３の往復回動に伴って前面側の空気吸い込み部５Ｂを開閉作動し、鎧戸式開閉板６０は電動機構３４の第２駆動部材３３０の往復回動に伴って上面側の空気吸い込み部５Ａを開閉作動する。
【００３６】
前面板７と鎧戸式開閉板６０を開閉作動する駆動機構を簡素化し、コンパクト設計が可能となり、空気調和機本体２の狭い領域への組み込みが可能となるようにするために、電動機構３４は、前面板７と鎧戸式開閉板６０の両方に近い領域に配置している。実施例では、上面側の空気吸い込み部５Ａの前部下方と、前面側の空気吸い込み部５Ｂの上部後方の領域に配置した駆動ボックス７０に設けている。
【産業上の利用可能性】
【００３７】
本発明の空気調和機は、上記実施形態に限定されず、本発明の技術的範囲を逸脱しない限り種々の空気調和機に適用できるものである。
【図面の簡単な説明】
【００３８】
【図１】本発明に係る空気調和機の上面斜視図である。（実施例１）
【図２】本発明に係る前面パネルを開いた状態の空気調和機の上面斜視図である。（実施例１）
【図３】本発明に係る空気調和機の縦断側面図である。（実施例１）
【図４】本発明に係る前面パネルとベース部材の関係を示す上面斜視図である。（実施例１）
【図５】本発明に係る前面パネルが閉じた状態を説明する縦断側面図である。（実施例１）
【図６】本発明に係る前面パネルが開いた状態を説明する縦断側面図である。（実施例１）
【図７】本発明に係る空気調和機本体前面部の部分斜視図である。（実施例１）
【図８】本発明に係る前面パネルとベース部材との左側結合部を裏側から示す斜視図である。（実施例１）
【図９】本発明に係る前面パネルとベース部材との右側結合部を裏側から示す斜視図である。（実施例１）
【図１０】本発明に係る前面パネルと作動腕との着脱可能結合構造を示す斜視図とその分解図である。（実施例１）
【図１１】本発明に係る鎧戸式開閉板が開いた状態を示す前面パネルを除いた状態の空気調和機本体の斜視図である。（実施例１）
【図１２】本発明に係る鎧戸式開閉板が開いた状態を示す空気調和機本体の上部側面図である。（実施例１）
【図１３】本発明に係る鎧戸式開閉板が閉じた状態を示す空気調和機本体の上部側面図である。（実施例１）
【図１４】本発明に係る鎧戸式開閉板が開いた状態を示す空気調和機本体の上部拡大側面図である。（実施例１）
【図１５】本発明に係る鎧戸式開閉板が開いた状態での鎧戸式開閉板の端部の構成を示す斜視図である。（実施例１）
【図１６】本発明に係る鎧戸式開閉板が閉じた状態での鎧戸式開閉板の端部の駆動部の構成を示す斜視図である。（実施例１）
【符号の説明】
【００３９】
１・・・空気調和機
２・・・空気調和機本体
３・・・熱交換器
４・・・送風機
５・・・空気吸い込み部
５Ａ・・上面空気吸い込み部
５Ｂ・・前面空気吸い込み部
６・・・フィルタ
７・・・前面パネル
１１・・空気吹き出し口
２０・・ベース部材
２１Ａ、２１Ｂ、２１Ｃ・・・作動腕
２２Ａ、２２Ｂ、２２Ｃ・・・軸支持部
２３Ａ、２３Ｂ、２３Ｃ・・・軸支持部
２５Ａ、２５Ｂ・・・引っ掛け部
２６Ａ、２６Ｂ・・・係止部
２８・・・電動機
３３・・・第１駆動部材（駆動側カム部材）
３３Ａ・・駆動側カム面
３４・・・電動機構
３５・・・従動側カム部材
３５Ａ・・従動側カム面
６０・・・鎧戸式開閉板
６１・・・鎧戸
６５・・・作動体
３３０・・第２駆動部材
【図１】
2007170788.tif 000003
【図２】
2007170788.tif 000004
【図３】
2007170788.tif 000005
【図４】
2007170788.tif 000006
【図５】
2007170788.tif 000007
【図６】
2007170788.tif 000008
【図７】
2007170788.tif 000009
【図８】
2007170788.tif 000010
【図９】
2007170788.tif 000011
【図１０】
2007170788.tif 000012
【図１１】
2007170788.tif 000013
【図１２】
2007170788.tif 000014
【図１３】
2007170788.tif 000015
【図１４】
2007170788.tif 000016
【図１５】
2007170788.tif 000017
【図１６】
2007170788.tif 000018